(57)【要約】【課題】商品の購入を希望する希望者の利便性の向上を図ること。【解決手段】店舗に来店した来店会員の会員情報の入力を受け付け、店舗において販売している商品に関する商品情報の入力を受け付け、入力された来店会員の会員情報にあらかじめ関連付けして登録されている登録会員に関する会員情報を抽出し、抽出された登録会員の会員情報に基づいて、入力された商品情報を、当該登録会員の住居に設置されたインターフォン装置１３０へ送信する商品購入支援装置１１０を構成した。これにより、住居４０２にいる登録会員に対して、当該登録会員自身を店舗に来店させることなく、店舗４０１で買い物をする来店会員を介して、当該店舗４０１が取り扱う商品をリアルタイムで伝えることができる。【選択図】図４
2018041227.tif 000002
【特許請求の範囲】
【請求項１】
店舗に来店した来店会員の会員情報の入力を受け付ける会員情報入力手段と、
前記店舗において販売している商品に関する商品情報の入力を受け付ける商品情報入力手段と、
前記会員情報入力手段によって入力された前記来店会員の会員情報にあらかじめ関連付けして登録されている登録会員に関する会員情報を抽出する抽出手段と、
前記抽出手段によって抽出された前記登録会員の会員情報に基づいて、前記商品情報入力手段によって入力された商品情報を、当該登録会員の住居に設置されたインターフォン装置へ送信する送信手段と、
を備えたことを特徴とする商品購入支援装置。
【請求項２】
前記インターフォン装置からの商品購入要求情報を受信する受信手段と、
前記受信手段によって受信した商品に関する情報を店舗端末装置へ出力する出力手段と、
を備えたことを特徴とする請求項１に記載の商品購入支援装置。
【請求項３】
前記受信手段によって受信した商品購入要求情報に基づいて、前記登録会員によるカード決済を実行する決済手段を備え、
前記出力手段は、前記決済手段が決済した商品に関する情報を前記店舗端末装置へ出力することを特徴とする請求項２に記載の商品購入支援装置。
【請求項４】
前記決済手段によってカード決済が実行された商品に関する情報に基づいて、前記来店会員への特典を決定する決定手段を備え、
前記出力手段は、前記決定手段によって決定された特典に関する情報を出力することを特徴とする請求項３に記載の商品購入支援装置。
【請求項５】
前記会員情報入力手段は、前記来店会員が所持するカードまたは携帯端末装置を前記店舗に設置されたキオスク端末装置に読み取らせることにより、当該来店会員の会員情報の入力を受け付けることを特徴とする請求項１〜４のいずれか一つに記載の商品購入支援装置。
【請求項６】
前記商品情報入力手段は、前記来店会員が所持するカードまたは携帯端末装置を前記店舗において陳列している商品の近傍に当該商品ごとに設けられたセンサーに読み取らせることにより、商品情報の入力を受け付けることを特徴とする請求項１〜５のいずれか一つに記載の商品購入支援装置。
【請求項７】
商品を会員に紹介する店員の店員情報の入力を受け付ける店員情報入力手段と、
前記商品に関する商品情報の入力を受け付ける商品情報入力手段と、
前記店員情報にあらかじめ関連付けして登録されている登録会員に関する会員情報を抽出する抽出手段と、
前記抽出手段によって抽出された前記登録会員の会員情報に基づいて、前記商品情報入力手段によって入力された商品情報を、当該登録会員の住居に設置されたインターフォン装置へ送信する送信手段と、
を備えたことを特徴とする商品購入支援装置。
【請求項８】
コンピュータが、
店舗に来店した来店会員の会員情報の入力を受け付け、
前記店舗において販売している商品に関する商品情報の入力を受け付け、
入力された前記来店会員の会員情報にあらかじめ関連付けして登録されている登録会員に関する会員情報を抽出し、
抽出された前記登録会員の会員情報に基づいて、入力された商品情報を、当該登録会員の住居に設置されたインターフォン装置へ送信する処理を実行することを特徴とする商品購入支援方法。
【請求項９】
コンピュータに、
店舗に来店した来店会員の会員情報の入力を受け付け、
前記店舗において販売している商品に関する商品情報の入力を受け付け、
入力された前記来店会員の会員情報にあらかじめ関連付けして登録されている登録会員に関する会員情報を抽出し、
抽出された前記登録会員の会員情報に基づいて、入力された商品情報を、当該登録会員の住居に設置されたインターフォン装置へ送信する処理を実行させることを特徴とする商品購入支援プログラム。
【発明の詳細な説明】
【技術分野】
【０００１】
この発明は、買い物を支援する商品購入支援装置、商品購入支援方法および商品購入支援プログラムに関する。
【背景技術】
【０００２】
従来、希望者が購入を希望する特定の商品の商品情報を当該商品を見つけた紹介者が登録することで、購入される可能性の高い商品についてのネットショッピングの仮想店舗を開設し、当該商品情報を希望者に通知することにより、希望者がその場に居なくても、紹介者が金銭を負担することなく希望者が希望する商品の購入を可能とした技術があった（たとえば、下記特許文献１を参照。）。
【先行技術文献】
【特許文献】
【０００３】
【特許文献１】特開２０１５−１５６０９２号公報
【発明の概要】
【発明が解決しようとする課題】
【０００４】
しかしながら、上述した従来の技術は、必ずしも希望者が在宅時に商品の紹介を受けるとは限らず、タイムセールにより販売される生鮮食品など、購入するかどうかの判断に即時性が要求される商品の購入には適しておらず、希望者の利便性が不十分であるという問題があった。
【０００５】
この発明は、上述した従来技術による問題点を解消するため、商品の購入を希望する希望者の利便性の向上を図ることができる商品購入支援装置、商品購入支援方法および商品購入支援プログラムを提供することを目的とする。
【課題を解決するための手段】
【０００６】
上述した課題を解決し、目的を達成するため、この発明にかかる商品購入支援装置は、店舗に来店した来店会員の会員情報の入力を受け付ける会員情報入力手段と、前記店舗において販売している商品に関する商品情報の入力を受け付ける商品情報入力手段と、前記会員情報入力手段によって入力された前記来店会員の会員情報にあらかじめ関連付けして登録されている登録会員に関する会員情報を抽出する抽出手段と、前記抽出手段によって抽出された前記登録会員の会員情報に基づいて、前記商品情報入力手段によって入力された商品情報を、当該登録会員の住居に設置されたインターフォン装置へ送信する送信手段と、を備えたことを特徴とする。
【０００７】
また、この発明にかかる商品購入支援装置は、上記の発明において、前記インターフォン装置からの商品購入要求情報を受信する受信手段と、前記受信手段によって受信した商品に関する情報を店舗端末装置へ出力する出力手段と、を備えたことを特徴とする。
【０００８】
また、この発明にかかる商品購入支援装置は、上記の発明において、前記受信手段によって受信した商品購入要求情報に基づいて、前記登録会員によるカード決済を実行する決済手段を備え、前記出力手段が、前記決済手段が決済した商品に関する情報を前記店舗端末装置へ出力することを特徴とする。
【０００９】
また、この発明にかかる商品購入支援装置は、上記の発明において、前記決済手段によってカード決済が実行された商品に関する情報に基づいて、前記来店会員への特典を決定する決定手段を備え、前記出力手段が、前記決定手段によって決定された特典に関する情報を出力することを特徴とする。
【００１０】
また、この発明にかかる商品購入支援装置は、上記の発明において、前記会員情報入力手段が、前記来店会員が所持するカードまたは携帯端末装置を前記店舗に設置されたキオスク端末装置に読み取らせることにより、当該来店会員の会員情報の入力を受け付けることを特徴とする。
【００１１】
また、この発明にかかる商品購入支援装置は、上記の発明において、前記商品情報入力手段が、前記来店会員が所持するカードまたは携帯端末装置を前記店舗において陳列している商品の近傍に当該商品ごとに設けられたセンサーに読み取らせることにより、商品情報の入力を受け付けることを特徴とする。
【００１２】
また、この発明にかかる商品購入支援装置は、商品を会員に紹介する店員の店員情報の入力を受け付ける店員情報入力手段と、前記商品に関する商品情報の入力を受け付ける商品情報入力手段と、前記店員情報にあらかじめ関連付けして登録されている登録会員に関する会員情報を抽出する抽出手段と、前記抽出手段によって抽出された前記登録会員の会員情報に基づいて、前記商品情報入力手段によって入力された商品情報を、当該登録会員の住居に設置されたインターフォン装置へ送信する送信手段と、を備えたことを特徴とする。
【００１３】
また、この発明にかかる商品購入支援方法は、コンピュータが、店舗に来店した来店会員の会員情報の入力を受け付け、前記店舗において販売している商品に関する商品情報の入力を受け付け、入力された前記来店会員の会員情報にあらかじめ関連付けして登録されている登録会員に関する会員情報を抽出し、抽出された前記登録会員の会員情報に基づいて、入力された商品情報を、当該登録会員の住居に設置されたインターフォン装置へ送信する処理を実行することを特徴とする。
【００１４】
また、この発明にかかる商品購入支援プログラムは、コンピュータに、店舗に来店した来店会員の会員情報の入力を受け付け、前記店舗において販売している商品に関する商品情報の入力を受け付け、入力された前記来店会員の会員情報にあらかじめ関連付けして登録されている登録会員に関する会員情報を抽出し、抽出された前記登録会員の会員情報に基づいて、入力された商品情報を、当該登録会員の住居に設置されたインターフォン装置へ送信する処理を実行させることを特徴とする。
【発明の効果】
【００１５】
この発明にかかる商品購入支援装置、商品購入支援方法および商品購入支援プログラムによれば、購入するかどうかの判断に即時性が要求される商品の購入を希望する希望者が、当該商品の販売現場にいなくても当該商品を購入することができるという効果を奏する。
【図面の簡単な説明】
【００１６】
【図１】この発明にかかる実施の形態の商品購入支援システムのシステム構成を示す説明図である。
【図２Ａ】商品購入支援装置を実現するコンピュータ装置のハードウエア構成の一例を示すブロック図である。
【図２Ｂ】キオスク端末装置を実現するコンピュータ装置のハードウエア構成の一例を示すブロック図である。
【図２Ｃ】インターフォン装置を実現するコンピュータ装置のハードウエア構成の一例を示すブロック図である。
【図２Ｄ】決済装置のハードウエア構成を示すブロック図である。
【図３Ａ】登録会員情報データベースの一例を示す説明図である。
【図３Ｂ】カード売上データベースの一例を示す説明図である。
【図３Ｃ】受託内容データベースの一例を示す説明図である。
【図４】商品購入支援サービスの利用例を示す説明図である。
【図５Ａ】キオスク端末装置のディスプレイに表示される表示画面例を示す説明図（その１）である。
【図５Ｂ】キオスク端末装置のディスプレイに表示される表示画面例を示す説明図（その２）である。
【図６】商品購入支援装置の機能的構成を示すブロック図である。
【図７Ａ】商品購入支援装置の処理手順の一例を示すフローチャート（その１）である。
【図７Ｂ】商品購入支援装置の処理手順の一例を示すフローチャート（その２）である。
【図７Ｃ】商品購入支援装置の処理手順の一例を示すフローチャート（その３）である。
【発明を実施するための形態】
【００１７】
以下に添付図面を参照して、この発明にかかる商品購入支援装置、商品購入支援方法および商品購入支援プログラムの好適な実施の形態を詳細に説明する。
【００１８】
（商品購入支援システムのシステム構成）
まず、この発明にかかる実施の形態の商品購入支援システムのシステム構成について説明する。図１は、この発明にかかる実施の形態の商品購入支援システムのシステム構成を示す説明図である。
【００１９】
図１において、商品購入支援システム１００は、商品購入支援装置１１０と、キオスク端末装置１２０と、インターフォン装置１３０と、決済装置１４０と、によって構成される。商品購入支援装置１１０とキオスク端末装置１２０、および商品購入支援装置１１０とインターフォン装置１３０とは、インターネットなどのネットワーク１０１を介して相互に通信可能に接続されている。
【００２０】
また、商品購入支援装置１１０は、ネットワーク１０１に接続されたカード会社サーバ１０２との間で通信する。カード会社サーバ１０２は、たとえば、クレジットカードを用いた決済（カード決済）を実現するカード決済システムに用いるクレジットカードを発行するカード発行会社によって管理されるコンピュータ装置によって実現することができる。あるいは、カード会社サーバ１０２は、たとえば、カード加盟店からの決済情報の通知を受ける加盟店管理会社（アクワイアラ）によって管理されるコンピュータ装置であってもよい。カード会社サーバ１０２は、カード決済の実行にかかる各種の情報を格納している。
【００２１】
商品購入支援装置１１０は、たとえば、商品購入支援システム１００の管理者によって管理されるコンピュータ装置によって実現することができる（図２Ａを参照）。キオスク端末装置１２０は、商品購入支援システム１００を利用して提供される商品購入支援サービスに加盟する店舗の売り場に設置され、ディスプレイ１２１や操作部１２２、通信機能（図２Ｂを参照）などを備える（図２Ｂを参照）。
【００２２】
また、キオスク端末装置１２０は、店舗内で取り扱う商品に付されたバーコードや２次元コードなどを光学的に読み取る際に用いられるバーコードスキャナ１２３を備えている。キオスク端末装置１２０の外装には、カードリーダ（図２Ｂを参照）によるカードの読み取り位置を案内するガイド１２４が設けられている。キオスク端末装置１２０は、ガイド１２４に近づけられたカードのＩＣチップに記憶された情報を読み取る。キオスク端末装置１２０は、１つの店舗内に１台または複数台設置される。１つの店舗に複数の売り場が存在する場合、キオスク端末装置１２０は、売り場ごとに設置してもよい。
【００２３】
商品購入支援サービスの運用においては、当該商品購入支援サービスの会員に所定のカードがあらかじめ発行されている。カードは、当該カードすなわち会員ごとに固有の識別情報（会員ＩＤ）を記憶するＩＣチップを備えている。商品購入支援サービスの利用に際して用いるカードは、クレジットカードであってもよい。商品購入支援装置１１０は、キオスク端末装置１２０を介して会員ＩＤを取得することによって、店舗に来店した会員（以下、「来店会員」という）を認識することができる。
【００２４】
インターフォン装置１３０は、住宅に設置される当該住宅専用の電話であって、住宅玄関の外壁など住宅の外部に設置される呼び出し用の子機（図示を省略する）からの呼び出しに応じて、当該子機との間で通話をおこなうことができる（図２Ｃを参照）。インターフォン装置１３０は、ディスプレイ１３１や操作部１３２、通信機能などを備えている。
【００２５】
インターフォン装置１３０の操作部１３２は、商品購入支援サービスを利用して、インターフォン装置１３０を介して提示された商品を購入するか否かの意思を示す「購入」ボタン１３２ａや、「不要」ボタン１３２ｂなどを備えている。インターフォン装置１３０は、商品購入支援サービスに加入しており、商品の購入の意思表示をしている会員と通話するためのマイク１３３やスピーカー１３４を備えている。
【００２６】
インターフォン装置１３０においては、マイク１３３とスピーカー１３４とが別体であってもよく、受話器の形で一体に設けられていてもよい。また、インターフォン装置１３０は、商品購入支援サービスに加入しており、商品の購入の意思表示をしている会員を撮影するカメラ１３５を備えていてもよい。
【００２７】
決済装置１４０は、商品の決済に用いられる。決済装置１４０は、商品購入支援サービスの会員を含む、店舗の利用者が購入する商品コードなどの入力を受け付け、入力を受け付けた商品コードに基づいてカード会社サーバ１０２との間で通信をおこなうことによりカード決済をおこなう機能を備えている。また、決済装置１４０は、入力を受け付けた商品コードに基づいて現金による決済をおこなう機能を備えている。
【００２８】
（商品購入支援装置１１０のハードウエア構成の一例）
つぎに、商品購入支援装置１１０のハードウエア構成の一例について説明する。図２Ａは、商品購入支援装置１１０を実現するコンピュータ装置のハードウエア構成の一例を示すブロック図である。
【００２９】
図２Ａにおいて、商品購入支援装置１１０を実現するコンピュータ装置は、ＣＰＵ（Ｃｅｎｔｒａｌ  Ｐｒｏｃｅｓｓｉｎｇ  Ｕｎｉｔ）２１１と、メモリ２１２と、通信Ｉ／Ｆ（Ｉｎｔｅｒｆａｃｅ）２１３と、を備えている。コンピュータ装置が備える各部２１１〜２１３は、バス２１０によってそれぞれ接続されている。ＣＰＵ２１１は、コンピュータ装置の全体の制御をつかさどる。
【００３０】
メモリ２１２は、ブートプログラムなどのプログラムや各種のデータベースを構成するデータなどを記憶している。また、メモリ２１２は、この発明にかかる実施の形態の商品購入支援プログラムや登録会員情報データベースなど、商品購入支援サービスの提供にかかる各種のプログラムやデータを記憶している。
【００３１】
また、メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００３２】
通信Ｉ／Ｆ２１３は、ネットワーク１０１に接続され、コンピュータ装置の内部と、キオスク端末装置１２０やインターフォン装置１３０およびカード会社サーバ１０２などの外部装置と、のインターフェイスをつかさどる。具体的に、通信Ｉ／Ｆ２１３は、コンピュータ装置の内部と外部装置との間におけるデータの入出力を制御する。
【００３３】
（キオスク端末装置１２０のハードウエア構成の一例）
つぎに、キオスク端末装置１２０のハードウエア構成の一例について説明する。図２Ｂは、キオスク端末装置１２０を実現するコンピュータ装置のハードウエア構成の一例を示すブロック図である。
【００３４】
図２Ｂにおいて、キオスク端末装置１２０は、ＣＰＵ２２１と、メモリ２２２と、通信Ｉ／Ｆ２２３と、カードリーダ２２４と、ディスプレイ１２１と、操作部１２２と、バーコードスキャナ１２３と、マイク２２５と、スピーカー２２６と、を備えている。キオスク端末装置１２０が備える各部１２１〜１２３、２２１〜２２６は、バス２２０によってそれぞれ接続されている。
【００３５】
ＣＰＵ２２１は、キオスク端末装置１２０の全体の制御をつかさどる。ＣＰＵ２２１は、メモリ２２２が記憶する各種のプログラムやデータを用いて、キオスク端末装置１２０の全体の制御をつかさどる。メモリ２２２は、フラッシュメモリなどによって実現することができる。通信Ｉ／Ｆ２２３は、キオスク端末装置１２０の内部と、キオスク端末装置１２０の外部とのインターフェイスをつかさどる。また、通信Ｉ／Ｆ２２３は、電話回線網に接続され、インターフォン装置１３０などとの音声通信に際して用いられる。
【００３６】
カードリーダ２２４は、会員のカードに設けられたＩＣチップに送信する送信信号を復調する復調器、当該復調器が復調した送信信号の電波（電磁波、交流磁界）を発するアンテナ、当該アンテナを介してＩＣチップから受信した信号を変調する変調器、などによって構成することができる。カードリーダ２２４は、復調する送信信号をＣＰＵ２２１から受信し、アンテナを介して外部に出力する。また、カードリーダ２２４は、アンテナを介して受信し、変調器によって変調された信号をＣＰＵ２２１に出力する。
【００３７】
非接触型のＩＣチップを備えたカードは、ＩＣチップとともにカード内に埋め込まれたアンテナによって、カードリーダ２２４から送信される電波を受信し、受信した電波をエネルギーに変換して電源とし、当該電源を用いてカードリーダ２２４との間で無線でデータのやりとりをおこなう。カードが備えるＩＣチップには、たとえば、カードリーダ２２４が読み取ったカードのカード番号（会員番号）が記憶されている。
【００３８】
カードリーダ２２４は、カードのＩＣチップとの間で、上記のような非接触方式により通信をおこなうものに限らない。非接触方式により読み取りをおこなうカードリーダ２２４に代えて、ＩＣチップに接続された接点（端子）を備えるカードを用いて、当該接点（端子）に端子を接触させることによって当該ＩＣチップに記憶された情報を読み取る接触式のカードリーダを用いてもよい。また、非接触方式により読み取りをおこなうカードリーダ２２４に代えて、たとえば、磁気ヘッドを備え、磁気ストライプを備えた磁気カードとの間で通信をおこなうカードリーダを用いてもよい。
【００３９】
ディスプレイ１２１は、操作内容や、利用者に対する案内情報などを表示する。ディスプレイ１２１は、商品購入支援サービスの利用にかかる各種の操作画面を表示する。ディスプレイ１２１は、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００４０】
具体的には、たとえば、液晶パネルによって実現されるディスプレイ１２１は、透明電極が組み込まれた一対のガラス基板によって液晶材料（液晶分子）を挟み、このガラス基板に偏光フィルタを設けることによって構成されている。液晶パネルは、電極に電圧を加えて液晶分子の向きを変化させることによって、ガラス基板を透過する光の状態を制御する。また、液晶パネルは、光源として、バックライトを備えている。これにより自らは発光しない液晶分子が表示する画像を照明することができる。
【００４１】
操作部１２２は、文字、数値、各種指示などの入力のためのキーを備え、データ入力をおこなう。操作部１２２は、たとえば、タッチパネルやキーボードなどによって実現することができる。タッチパネルやキーボードなどによって実現される操作部１２２は、当該操作部１２２に対する入力操作に応じた信号をＣＰＵ２２１に対して出力する。
【００４２】
操作部１２２をタッチパネルによって実現する場合、当該タッチパネルは、ディスプレイ１２１の表示面側に積層される。タッチパネルは、指やペンなどの筆記部材が接触したことを検出した場合に、タッチパネルに対する筆記部材の接触位置に応じた電気信号を出力する。タッチパネル２４５は、たとえば抵抗膜方式や静電容量方式、音響パルス認識方式、超音波表面弾性波方式、赤外遮光方式、画像認識方式など公知の各種の方式のものを用いることができる。
【００４３】
バーコードスキャナ１２３は、店舗内で取り扱う商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。
【００４４】
バーコードスキャナ１２３は、ＬＥＤなどの光源、光源からの光を走査させるポリゴンミラー、読み取り対象物からの反射光を受光する受光センサー、受光センサーが受光した光信号をデコードするデコード回路などを備えている。受光センサーとしてＣＣＤイメージセンサを採用することにより、２次元コードを読み取ることが可能になる。デコード回路がデコードしたデータは、ＣＰＵ２２１に出力される。
【００４５】
マイク２２５は、アナログデータとして入力された話者の声をアナログ／デジタル変換し、デジタル形式の音声データを生成する。マイク２２５を用いることにより、利用者は、キオスク端末装置１２０を介して、インターフォン装置１３０との間で音声による通信（通話）をおこなうことができる。マイク２２５は、キオスク端末装置１２０に位置固定された形態であってもよく、コードを介してキオスク端末装置１２０の本体に接続されて利用者の口元に近づけて使用することができる形態であってもよい。
【００４６】
スピーカー２２６は、たとえば、操作内容を案内するためのデジタル形式の音声データをデジタル／アナログ変換し、アナログ形式の音声データに基づいてスピーカーコーンにおけるコイルに通電するなどして音声を出力する。マイク２２５およびスピーカー２２６は、電話機における受話器のように一体化されていてもよい。
【００４７】
キオスク端末装置１２０は、さらに、プリンタやカメラ（いずれも図示を省略する）を備えていてもよい。キオスク端末装置１２０がプリンタを備えることにより、商品購入支援サービスの利用に際して必要な情報を記録した所定の用紙を発行することができる。具体的には、プリンタは、たとえば、商品購入支援サービスを利用して購入した商品のリストや購入者に関する情報を記録した所定の用紙を発行することができる。
【００４８】
プリンタは、所定の用紙に対して決済の内容などを記録する記録処理をおこなうことによって上記の所定の用紙を発行する。プリンタは、たとえば、感熱発色性を有する記録媒体に複数の発熱素子を備えるサーマルヘッドを当接させ、該当する発熱素子を選択的に発熱させることによって記録処理をおこなうことによって上記の所定の用紙を発行する。プリンタは、サーマルヘッドを備えたプリンタに限るものではなく、レーザプリンタ、インクジェットプリンタなど公知の各種の印字方式のプリンタによって実現することができる。
【００４９】
カメラは、ＣＰＵ２２１によって制御されて撮像対象を撮像し、画像データを生成する。具体的に、カメラは、利用者が操作部１２２に対して所定の入力操作をした場合に、キオスク端末装置１２０の前にいる利用者を撮像する。カメラによって生成された画像データは、ＣＰＵ２２１に出力され、通信Ｉ／Ｆ２２３を介してインターフォン装置１３０へ送信される。
【００５０】
キオスク端末装置１２０がカメラを備えることにより、キオスク端末装置１２０を利用する来店会員の画像や、当該来店会員が紹介する商品の画像などをインターフォン装置１３０に送信することができる。これにより、インターフォン装置１３０を介して商品の紹介を受ける会員は、商品を紹介した会員や紹介された商品を目視によって確認することができるので、不審人物からの不正な買い物の勧誘を断ることができる。
【００５１】
（インターフォン装置１３０のハードウエア構成の一例）
つぎに、インターフォン装置１３０のハードウエア構成の一例について説明する。図２Ｃは、インターフォン装置１３０を実現するコンピュータ装置のハードウエア構成の一例を示すブロック図である。
【００５２】
図２Ｃにおいて、インターフォン装置１３０は、ＣＰＵ２３１と、メモリ２３２と、通信Ｉ／Ｆ２３３と、ディスプレイ１３１と、操作部１３２と、マイク１３３と、スピーカー１３４と、を備えている。インターフォン装置１３０が備える各部１３１〜１３４、２３１〜２３３は、バス２３０によってそれぞれ接続されている。
【００５３】
ＣＰＵ２３１は、インターフォン装置１３０の全体の制御をつかさどる。ＣＰＵ２３１は、メモリ２３２が記憶する各種のプログラムやデータを用いて、インターフォン装置１３０の全体の制御をつかさどる。メモリ２２２は、フラッシュメモリなどによって実現することができる。通信Ｉ／Ｆ２３３は、インターフォン装置１３０の内部と、インターフォン装置１３０の外部とのインターフェイスをつかさどる。
【００５４】
（決済装置１４０のハードウエア構成）
つぎに、決済装置１４０のハードウエア構成について説明する。図２Ｄは、決済装置１４０のハードウエア構成を示すブロック図である。決済装置１４０は、たとえば、カード決済機能を備えたＰＯＳ端末によって実現することができる。
【００５５】
図２Ｄにおいて、決済装置１４０は、ＣＰＵ２４１と、メモリ２４２と、通信Ｉ／Ｆ２４３と、ディスプレイ２４４と、タッチパネル２４５と、キーボード２４６と、バーコードスキャナ２４７と、プリンタ２４８と、ドロワ開放装置２４９と、スピーカー２５０と、カードリーダ２５１と、を備えている。また、決済装置１４０が備える各部２４１〜２５１は、バス２４０によってそれぞれ接続されている。
【００５６】
ＣＰＵ２４１は、カード決済機能を備えたＰＯＳ端末によって実現される決済装置１４０全体の制御をつかさどる。ＣＰＵ２４１は、メモリ２４２が記憶する各種のプログラムやデータを用いて、決済装置１４０の全体の制御をつかさどる。具体的には、メモリ２４２は、たとえば商品マスタファイルや売り上げファイルなどを記憶している。商品マスタファイルや売り上げファイルについては公知であるため説明を省略する。メモリ２４２は、フラッシュメモリなどによって実現することができる。
【００５７】
ディスプレイ２４４は、決済装置１４０がおこなう決済にかかる各種の画面を表示する。ディスプリエ２２４は、たとえば液晶パネルを備えた表示装置によって実現することができる。タッチパネル２４５は、ディスプレイ２４４に積層され、操作位置に応じた信号をＣＰＵ２４１に対して出力する。キーボード２４６は、文字、数値、各種指示などの入力のためのキーを備え、操作されたキーに応じた信号をＣＰＵ２４１に対して出力する。
【００５８】
バーコードスキャナ２４７は、上記のバーコードスキャナ１２３と同様の構成を備える。プリンタ２４８は、ロール紙に対して決済の内容などを印字する印字処理をおこなってレシートなどを発行する。プリンタ２４８は、ロール紙を保持するロール紙保持機構、ロール紙に対して印字をおこなうプリンタヘッド、印字済みのロール紙を任意の長さでカットするカッタ機構などを備えて構成されている。
【００５９】
ドロワ開放装置２４９は、決済装置１４０に対して所定の操作がおこなわれた場合に、当該決済装置１４０に接続されたドロワ装置を開放する。ドロワ開放装置２４９は、具体的には、たとえばソレノイドなどによって実現することができ、キーボード２４６における「預／現計」キーの操作に応じてＣＰＵ２４１から出力された開放信号を受信した場合に動作してドロワ装置を解錠する。
【００６０】
スピーカー２５０は、商品をスキャンした場合の『ピッ』という音声やエラーなどの異常発生時の報知音を出力する。スピーカー２５０は、上述したスピーカー２２６と同様の構成を備える。カードリーダ２５１は、カード決済において、クレジットカードに記録されたデータを読み出す。カードは、ＩＣチップを備えたタイプであってもよいし、磁気テープを備えたタイプであってもよい。
【００６１】
（登録会員情報データベースの一例）
つぎに、登録会員情報データベースの一例について説明する。図３Ａは、登録会員情報データベースの一例を示す説明図である。図３Ａにおいて、登録会員情報データベース３１０は、たとえば、商品購入支援装置１１０を実現するコンピュータ装置が備えるメモリ２１２に設けることができる。
【００６２】
登録会員情報データベース３１０においては、来店会員の会員情報ごとに、登録会員に関する会員情報が関連づけて登録されている。登録会員は、商品購入支援サービスに加入して当該商品購入支援サービスを利用する会員であって店舗に来店しない会員によって実現される。登録会員は、来店会員が任意に設定することができる。商品購入支援サービスの運用においては、会員どうしの事前の話し合いなどにより登録会員を決定し、所定のＷＥＢページを介して、来店会員が登録会員の会員情報など、当該登録会員を特定可能な情報を登録する。
【００６３】
登録会員の情報は、来店会員が任意に設定することができる。また、登録会員の情報は、同一の登録会員に関して複数のレコードを登録することができる。たとえば、同一の登録会員の情報であっても、登録会員の嗜好にかかる当該登録会員の情報を、来店会員ごとにそれぞれ異ならせることができる。
【００６４】
会員情報は、会員ごとに固有の識別情報（会員ＩＤ）、会員の氏名、住所、会員の住居に設けられたインターフォン装置１３０との通話をおこなうための識別番号などに関する情報を含む。会員情報は、各会員が登録会員として商品購入支援サービスを利用する際に、決済に利用するクレジットカードのカード番号を含む。会員ＩＤは、クレジットカードのカード番号によって実現してもよい。
【００６５】
また、会員情報は、会員の生年月日、会員の性別、会員の家族構成などに関する情報を含んでいてもよい。さらに、会員情報は、会員の好みや商品購入支援サービスを利用して購入したり商品に関する情報を含んでいてもよい。会員の好みや商品購入支援サービスを利用して購入したり商品に関する情報は、各会員が所定のＷＥＢページを介して任意に設定することができ、具体的には、たとえば、「肉」、「魚」、「米」、「水」などのように設定することができる。会員の好みや商品購入支援サービスを利用して購入したり商品に関する情報は、具体的な商品ではなく、希望する商品のジャンルに関する情報であってもよい。
【００６６】
（カード売上データベースの一例）
つぎに、カード売上データベースの一例について説明する。図３Ｂは、カード売上データベースの一例を示す説明図である。図３Ｂにおいて、カード売上データベース３２０は、たとえば、商品購入支援装置１１０を実現するコンピュータ装置が備えるメモリ２１２に設けることができる。
【００６７】
カード売上データベース３２０は、会員ＩＤごとに、当該会員ＩＤによって識別される会員が過去に購入した商品に関する情報を関連づけて記憶する。会員が過去に購入した商品に関する情報は、たとえば、商品マスタファイルにおいてあらかじめ商品名や価格に関する情報が関連付けられた商品ＩＤや、当該商品の決済をおこなった日時に関する情報によって実現することができる。
【００６８】
（受託内容データベースの一例）
つぎに、受託内容データベースの一例について説明する。図３Ｃは、受託内容データベースの一例を示す説明図である。図３Ｃにおいて、受託内容データベース３３０は、たとえば、商品購入支援装置１１０を実現するコンピュータ装置が備えるメモリ２１２に設けることができる。
【００６９】
受託内容データベース３３０は、来店会員の会員ＩＤごとに、当該来店会員に商品の購入を依頼した登録会員の会員ＩＤを関連づけて記憶する。また、受託内容データベース３３０は、来店会員の会員情報および登録会員の会員情報に関連付けて、来店会員が登録会員に紹介した商品（紹介商品）に関する情報を、登録会員ごとに関連づけて記憶する。
【００７０】
紹介商品に関する情報は、たとえば、当該紹介商品についてあらかじめ設定された商品名や価格に関する情報が関連付けられた商品ＩＤや、当該商品を登録会員に紹介した日時に関する情報によって実現することができる。受託内容データベース３３０においては、インターフォン装置１３０から依頼情報を受けたタイミングで該当するデータを記憶（登録）する。
【００７１】
受託内容データベース３３０は、さらに、登録会員ごとに、当該登録会員に紹介された商品の決済が完了した（「済」である）か否（「未」である）かを示す決済フラグを関連づけて記憶する。決済は、依頼情報をインターフォン装置１３０から受信したタイミングで終わり、決済完了情報は決済が完了したタイミングで「済」となる。なお、依頼情報をインターフォン装置１３０から受信したタイミングで決済は終わり決済完了情報が「済」であるが、インターフォン装置で支払方法を選択できる場合（たとえば「代引」を選択したとき）は決済完了情報を「未」のままとしてもよい。
【００７２】
登録会員情報データベース３１０、カード売上データベース３２０および受託内容データベース３３０などの商品購入支援サービスの提供にかかる各種のデータベースは、商品購入支援装置１１０を実現するコンピュータ装置が一体的に備えるメモリ２１２に記憶されているものに限らず、商品購入支援装置１１０とは別体で設けられた記憶装置に記憶されていてもよい。また、登録会員情報データベース３１０は、単一の記憶装置に設けられるものに限らず、たとえば、それぞれが別の記憶装置に設けられていてもよい。
【００７３】
（商品購入支援サービスの利用例）
つぎに、商品購入支援サービスの利用例について説明する。図４は、商品購入支援サービスの利用例を示す説明図である。図４において、実際に店舗４０１に来店した来店会員は、登録会員にも紹介したい商品を見つけた場合に、キオスク端末装置１２０のガイド１２４にクレジットカードをかざして、当該来店会員の会員ＩＤなどを会員情報として入力する。また、バーコードスキャナ１２３を用いて、該当する商品に付されたバーコードや２次元コードなどを光学的に読み取って紹介商品に関する情報を入力する。
【００７４】
商品購入支援装置１１０は、キオスク端末装置１２０を介して来店会員の会員情報および紹介商品に関する情報の入力を受け付けた場合、登録会員情報データベース３１０を参照して、来店会員の会員情報にあらかじめ関連付けして登録されている登録会員の会員情報を抽出する。そして、抽出した会員情報によって特定される登録会員の住居４０２に設置されたインターフォン装置１３０へ、入力された情報を送信する。
【００７５】
インターフォン装置１３０は、商品購入支援装置１１０から送信された商品情報を受信すると、受信した情報に基づいてディスプレイ１３１に紹介商品に関する情報や来店会員に関する情報などを表示する。これにより、登録会員は、インターフォン装置１３０のディスプレイ１３１を介して紹介商品を知ることができる。
【００７６】
登録会員は、紹介商品の購入を希望する場合は「購入」ボタン１３２ａを操作し、紹介商品の購入を希望しない場合は「不要」ボタン１３２ｂを操作する。インターフォン装置１３０は、登録会員の操作内容に応じた商品購入要求情報を商品購入支援装置１１０に送信する。商品購入要求情報は、インターフォン装置１３０にかかる登録会員の会員ＩＤや、購入する商品、購入しない商品を示す情報を含む。これにより、登録会員は、住居４０２に居ながらにして、紹介された商品を購入することができる。
【００７７】
商品購入情報は、登録会員ごとであって、かつ、来店会員に紹介された商品ごとに、当該商品を購入するか購入しないかを示す情報を含む。これによって、来店会員に紹介された商品の中に、登録会員が購入する商品と購入しない商品とが混在している場合にも、登録会員が希望する商品のみを購入することができる。
【００７８】
商品購入支援装置１１０は、インターフォン装置１３０から受信した内容に基づいて、「購入」ボタン１３２ａが操作されたことを示す情報を受信した場合は、カード会社サーバ１０２との間で通信をおこなって決済（カード決済）をおこなう。そして、商品購入支援装置１１０は、決済が完了した場合、決済装置１４０や図示を省略する店員の端末装置などの店舗端末装置に、決済が完了した商品に関する情報を出力する。店員は、決済装置１４０や図示を省略する店員の端末装置などの店舗端末装置において受信した情報に基づいて、該当する商品を袋詰めする。このとき、決済が完了した商品に関する情報は、決済単位で出力する。これにより、来店会員が、複数の登録会員が購入した商品を運搬する場合にも、異なる登録会員の商品が混ざってしまうことがない。
【００７９】
商品購入支援装置１１０は、決済装置１４０において来店会員の決済がおこなわれると、当該決済装置１４０を介して、来店会員に対して、登録会員が購入した商品があることを通知する。商品購入支援サービスの運用上、この通知がおこなわれた場合、サービスカウンターなどの所定の場所において、店員が該当する商品の袋を来店会員に手渡す。
【００８０】
なお、商品購入支援サービスの運用上、来店会員に手渡す商品には、当該商品の購入者の氏名や来店会員の氏名が記録されたカードなどを併せて手渡すことが好ましい。登録会員の商品を持ち帰る来店会員であるか否かは、たとえば、当該来店会員が決済に用いるクレジットカードのカード番号に基づいて判断することができる。また、カード決済をおこなわない利用者の場合、あらかじめ発行した所定の会員カードを用いて来店会員であるか否かを判断してもよい。来店会員は、店員から渡された商品を持ち帰り、登録会員に手渡す。
【００８１】
（表示画面例）
つぎに、キオスク端末装置１２０のディスプレイ１２１に表示される表示画面例について説明する。図５Ａおよび図５Ｂは、キオスク端末装置１２０のディスプレイ１２１に表示される表示画面例を示す説明図である。
【００８２】
図５Ａにおいて、表示画面５１０は、商品購入支援装置１１０が、来店会員の会員ＩＤおよび商品ＩＤを取得した場合に、キオスク端末装置１２０のディスプレイ１２１に表示される。表示画面５１０は、来店会員の会員ＩＤや、当該会員ＩＤによって識別される来店会員の氏名などを表示する。
【００８３】
また、表示画面５１０は、来店会員が決済した商品の一覧（お買上一覧）を表示する。さらに、表示画面５１０は、当該一覧の中で、来店会員によって指定された、登録会員に紹介したい商品（紹介商品）を示す情報を表示する。また、表示画面５１０は、表示画面５１０の表示内容を確定して、登録会員に紹介したい商品に関する情報（ご用聞き情報）を登録会員のインターフォン装置１３０に送信する指示を受け付ける「ＯＫ」キーや、操作をキャンセルする指示を受け付ける「キャンセル」キーを表示する。
【００８４】
図５Ｂにおいて、表示画面５２０は、上記の表示画面５１０における「ＯＫ」キーの操作の結果、キオスク端末装置１２０のディスプレイ１２１に表示される。表示画面５２０は、表示画面５１０の操作により来店会員がキオスク端末装置１２０から商品購入支援装置１１０を介して送信したご用聞き情報に応じて、インターフォン装置１３０から送信された商品購入要求情報に基づいて表示される。
【００８５】
商品購入要求情報は、ご用聞き情報に基づいてインターフォン装置１３０を介して登録会員に紹介された商品を、紹介を受けた登録会員が購入するか否かの意思を示す情報と、当該登録会員の会員ＩＤなどの会員情報と、を含む。また、商品購入要求情報は、紹介商品の購入数を示す情報を含んでいてもよい。これにより、いずれの登録会員が紹介商品を購入するか、数量はどれくらいか、を管理することができる。
【００８６】
表示画面５２０は、登録会員が来店会員に依頼する商品に関する情報を表示する。また、表示画面５２０は、ご用聞き情報を送信した登録会員と、登録会員が来店会員に依頼する商品の数量と、登録会員による決済の状況と、を示す一覧（お持ち帰りリスト）を表示する。
【００８７】
また、表示画面５２０は、表示画面５２０に表示されるお持ち帰りリストの内容のプリント出力指示を受け付ける「印刷」キーや、表示画面５２０に表示されるお持ち帰りリストの内容を電子メールの形式で所定の端末装置に送信指示を受け付ける「電子メールで送信」キーなどを表示する。
【００８８】
表示画面５２０において「印刷」キーが操作された場合、表示画面５２０に表示されるお持ち帰りリストの内容を、キオスク端末装置１２０が備えるプリンタによってプリントして出力する。また、表示画面５２０において「電子メールで送信」キーが操作された場合、表示画面５２０に表示されるお持ち帰りリストの内容を、来店会員が指定した端末装置に電子メールの形式で送信する。
【００８９】
また、表示画面５２０は、表示画面５２０に表示されるお買上商品の配送指示を受け付ける「配送」キーを表示してもよい。この場合、表示画面５２０において「配送」キーが操作された場合、配送によって商品を届ける届け先となる登録会員を指定するための表示画面（図示を省略する）、あるいは、配送によって届ける商品や配送先を入力するための表示画面（図示を省略する）などをキオスク端末装置１２０のディスプレイ１２１に表示してもよい。
【００９０】
これにより、たとえば、来店会員が商品を紹介し、当該紹介によって登録会員が購入した商品の取り扱い店舗が、来店会員の旅行先など、当該登録会員の住居４０２の遠隔に立地している場合に、当該商品を来店会員が旅行先から持ち帰ることなく、配送によって登録会員に届けることができる。
【００９１】
（商品購入支援装置１１０の機能的構成）
つぎに、商品購入支援装置１１０の機能的構成について説明する。図６は、商品購入支援装置１１０の機能的構成を示すブロック図である。図６において、商品購入支援装置１１０の機能は、記憶部６０１と、会員情報入力部６０２と、商品情報入力部６０３と、抽出部６０４と、送信部６０５と、受信部６０６と、決済部６０７と、決定部６０８と、出力部６０９と、によって実現することができる。
【００９２】
記憶部６０１は、登録会員に関する会員情報を登録する登録会員情報データベースを備える。記憶部の機能は、この実施の形態においては、商品購入支援装置１１０を実現するコンピュータ装置が備えるメモリ２１２によって、この発明にかかる記憶部６０１の機能を実現することができる。
【００９３】
会員情報入力部６０２は、店舗に来店した来店会員の会員情報の入力を受け付ける。会員情報入力部６０２は、たとえば、来店会員が所持するカードをキオスク端末装置１２０に読み取らせることにより、当該来店会員の会員情報の入力を受け付ける。具体的には、会員情報入力部６０２は、キオスク端末装置１２０と通信をおこなって、キオスク端末装置１２０が来店会員のカードから読み取った会員情報を受信することによって会員情報の入力を受け付ける。
【００９４】
会員情報入力部６０２は、来店会員が所持するカードに代えて、来店会員が所有するスマートフォンなどの携帯端末装置を店舗に設置されたキオスク端末装置１２０に読み取らせることによって、当該来店会員の会員情報の入力を受け付けるようにしてもよい。この実施の形態においては、商品購入支援装置１１０を実現するコンピュータ装置が備えるＣＰＵ２１１、メモリ２１２や通信Ｉ／Ｆ２１３、および、キオスク端末装置１２０におけるカードリーダ２２４や通信Ｉ／Ｆ２２３などによって、この発明にかかる会員情報入力部６０２の機能を実現することができる。
【００９５】
商品情報入力部６０３は、店舗において販売している商品に関する商品情報の入力を受け付ける。商品情報は、たとえば、商品ＩＤ、商品名、商品の販売価格などの情報によって実現することができる。商品ＩＤは、店舗内で取り扱う商品ごとにそれぞれ設定されており、たとえば、バーコードや２次元コードなどの形態で商品に付されている。
【００９６】
商品情報入力部６０３は、具体的には、たとえば、キオスク端末装置１２０においてバーコードスキャナ１２３により読み取られたバーコードや２次元コードなどの情報を、表示画面５１０において「ＯＫ」キーが操作されたタイミングで受信して商品ＩＤの入力を受け付けることによって商品情報の入力を受け付ける。また、商品情報入力部６０３は、具体的には、たとえば、商品マスタファイルを参照して、キオスク端末装置１２０から受信した商品ＩＤに対応する商品名や価格に関する情報を取得することによって商品情報の入力を受け付ける。
【００９７】
この実施の形態においては、商品購入支援装置１１０を実現するコンピュータ装置が備えるＣＰＵ２１１、メモリ２１２や通信Ｉ／Ｆ２１３、および、キオスク端末装置１２０におけるバーコードスキャナ１２３や通信Ｉ／Ｆ２２３などによって、この発明にかかる商品情報入力部６０３の機能を実現することができる。
【００９８】
抽出部６０４は、登録会員情報データベース３１０を参照して、会員情報入力部６０２によって入力された来店会員の会員情報にあらかじめ関連付けして登録されている登録会員に関する会員情報を抽出する。これにより、来店会員の友人や近所に居住する知人である登録会員に関する会員情報を抽出することができる。
【００９９】
抽出部６０４は、登録会員の嗜好と商品の属性とに応じて、登録会員に関する会員情報を抽出してもよい。これにより、たとえば、お酒好きな人にワインを提案し、乳製品を好む人にチーズを提案することができる。この実施の形態においては、商品購入支援装置１１０を実現するコンピュータ装置が備えるＣＰＵ２１１やメモリ２１２によって、この発明にかかる抽出部６０４を実現することができる。
【０１００】
送信部６０５は、抽出部６０４によって抽出された登録会員の会員情報に基づいて、商品情報入力部６０３によって入力された商品情報を、当該登録会員の住居に設置されたインターフォン装置１３０へ送信する。具体的に、送信部６０５は、抽出部６０４によって抽出された会員情報によって識別される登録会員ごとに、商品情報入力部６０３によって入力を受け付けた商品情報を送信する。この実施の形態においては、商品購入支援装置１１０を実現するコンピュータ装置が備えるＣＰＵ２１１、メモリ２１２や通信Ｉ／Ｆ２１３などによって、この発明にかかる送信部６０５の機能を実現することができる。
【０１０１】
インターフォン装置１３０は、上記のように、商品購入支援装置１１０から送信された商品情報を受信すると、受信した情報に基づいてディスプレイ１３１に紹介商品に関する情報や来店会員に関する情報などを表示する。また、インターフォン装置１３０は、登録会員の操作内容に応じた商品購入要求情報を商品購入支援装置１１０に送信する。
【０１０２】
受信部６０６は、インターフォン装置１３０からの商品購入要求情報を受信する。この実施の形態においては、商品購入支援装置１１０を実現するコンピュータ装置が備えるＣＰＵ２１１、メモリ２１２や通信Ｉ／Ｆ２１３などによって、この発明にかかる受信部６０６の機能を実現することができる。
【０１０３】
決済部６０７は、受信部６０６によって受信した商品購入要求情報に基づいて、登録会員によるカード決済を実行する。具体的に、決済部６０７は、登録会員が購入する意思を示した商品のみのカード決済をおこなう。カード決済は、カード会社サーバ１０２との間で通信をおこなうことにより実行される。この実施の形態においては、商品購入支援装置１１０を実現するコンピュータ装置が備えるＣＰＵ２１１、メモリ２１２や通信Ｉ／Ｆ２１３などによって、この発明にかかる決済部６０７の機能を実現することができる。
【０１０４】
決定部６０８は、決済部６０７によってカード決済が実行された商品に関する情報に基づいて、来店会員への特典を決定する。決定部６０８は、たとえば、来店会員が紹介することにより登録会員がカード決済をおこなった金額に応じた数のポイントを、来店会員への特典に決定する。
【０１０５】
あるいは、決定部６０８は、たとえば、来店会員が紹介することにより登録会員がカード決済をおこなった商品の数や、当該商品の重量などに応じて、店舗から来店会員の自宅まで、来店会員が購入した商品を、登録会員が購入した商品とともに無料で配送するサービスを、来店会員への特典に決定してもよい。その際、来店会員を自宅まで送るサービスを、特典として併せて付与してもよい。
【０１０６】
出力部６０９は、決済部６０７によってカード決済が実行された商品に関する情報を店舗端末装置へ出力する。この実施の形態においては、商品購入支援装置１１０を実現するコンピュータ装置が備えるＣＰＵ２１１、メモリ２１２や通信Ｉ／Ｆ２１３などによって、この発明にかかる決済部６０７の機能を実現することができる。
【０１０７】
具体的に、出力部６０９は、たとえば、決済装置１４０に対して、「来店会員にお持ちいただく商品がありますので伝えてください。」などの、決済装置１４０を操作する店員へのメッセージ情報を出力する。この場合、メッセージ情報を受信した決済装置１４０は、「来店会員にお持ちいただく商品がありますので伝えてください。」というメッセージを、ディスプレイ２４４に表示する。これにより、決済装置１４０を操作する店員に対して、来店会員の紹介により登録会員に紹介された商品があることを、来店会員に伝達させることができる。
【０１０８】
あるいは、セルフレジシステムなどと称される、顧客自身が操作する決済装置１４０である場合は、「○○（来店会員の氏名）様にお持ちいただく商品があります。サービスカウンターにお申し出ください。」などの、来店会員へのメッセージ情報を出力する。この場合、メッセージ情報を受信した決済装置１４０は、「○○（来店会員の氏名）様にお持ちいただく商品があります。サービスカウンターにお申し出ください。」というメッセージを、ディスプレイ２４４に表示する。これにより、来店会員に対して、来店会員の紹介により登録会員に紹介された商品があることを伝えることができる。
【０１０９】
また、出力部６０９は、決定部６０８によって特典に関する情報が決定された場合、決定部６０８によって決定された特典に関する情報を出力する。具体的には、出力部６０９は、たとえば、来店会員の決済にかかるレシートに、登録会員がカード決済をおこなったことによって付与されたポイントをプリントすることによって、特典に関する情報を出力する。あるいは、具体的には、出力部６０９は、たとえば、来店会員の決済にかかるレシートに、「お預かりしているお荷物がございます。○○（来店会員の氏名）様のご自宅までお送りします。」などのメッセージをプリントすることによって、特典に関する情報を出力してもよい。
【０１１０】
（商品購入支援装置１１０の処理手順）
つぎに、商品購入支援装置１１０の処理手順について説明する。図７Ａ〜図７Ｃは、商品購入支援装置１１０の処理手順の一例を示すフローチャートである。図７Ａのフローチャートにおいて、まず、会員ＩＤを取得するまで待機する（ステップＳ７１１：Ｎｏ）。ステップＳ７１１においては、キオスク端末装置１２０においてカードから読み取られ、当該キオスク端末装置１２０から送信される会員ＩＤを受信するまで待機する。
【０１１１】
ステップＳ７１１において、会員ＩＤを取得した場合（ステップＳ７１１：Ｙｅｓ）、商品ＩＤを取得したか否かを判断する（ステップＳ７１２）。ステップＳ７１２においては、キオスク端末装置１２０においてバーコードスキャナ１２３を用いて読み取られたバーコードや２次元コードなどのコード情報であって、当該キオスク端末装置１２０から送信される商品ＩＤを受信するまで待機する。キオスク端末装置１２０は、表示画面５１０の表示中に「ＯＫ」キーに対する操作を受け付けた場合に、当該操作を受け付けた時点において表示画面５１０に表示されている紹介商品にかかる商品ＩＤを、商品購入支援装置１１０に送信する。
【０１１２】
つぎに、ステップＳ７１１において取得された会員ＩＤに基づいて、登録会員情報データベース３１０を参照して、来店会員の会員情報に関連付けて登録されている登録会員の会員情報（ご近所情報）を抽出する（ステップＳ７１３）。ステップＳ７１３の処理により、来店会員の友人や近所に居住する知人である登録会員に関する会員情報が抽出される。
【０１１３】
その後、ステップＳ７１３において抽出されたご近所情報に基づいて、該当するインターフォン装置１３０に対して、ステップＳ７１２において取得された商品ＩＤにかかる商品を紹介商品とし、当該紹介商品の購入を登録会員に尋ねる情報（ご用聞き情報）を送信して（ステップＳ７１４）、一連の処理を終了する。
【０１１４】
商品購入支援装置１１０は、ご用聞き情報の送信に先立って、ステップＳ７１２において取得された商品ＩＤに基づいて商品名や販売単価、その他まとめ買いによる特典などに関する情報を取得し、取得されたこれらの情報に基づいてご用聞き情報を生成する。ステップＳ７１４においては、このご用聞き情報を送信する。
【０１１５】
図７Ｂのフローチャートにおいて、まず、上記の図７ＡにおけるステップＳ７１４において送信されたご用聞き情報を受信したインターフォン装置１３０から、商品購入要求情報（依頼情報）を受信するまで待機する（ステップＳ７２１）。上記のように、ご用聞き情報を受信したインターフォン装置１３０は、所定の操作を受け付けた場合に、商品購入支援装置１１０に対して商品購入要求情報（依頼情報）を送信する。
【０１１６】
ご用聞き情報を受信したインターフォン装置１３０は、当該ご用聞き情報を受信してから所定時間が経過するまでに所定の入力操作を受け付けなかった場合、あるいは、紹介商品を購入しない意思を示す操作を受け付けた場合は、商品購入支援装置１１０に対して、紹介商品の購入がないことを示す情報と、当該登録会員の会員ＩＤなどの会員情報と、を含む依頼情報を送信する。
【０１１７】
つぎに、ステップＳ７２１において受信した依頼情報に基づいて、受託内容データベース３３０を更新して（ステップＳ７２２）、一連の処理を終了する。ステップＳ７２２においては、登録会員情報データベース３１０における該当する来店会員の会員情報に、受信した依頼情報に含まれる情報を追加することによって登録会員情報データベース３１０を更新する。
【０１１８】
図７Ｃのフローチャートにおいて、まず、決済装置１４０から送信される決済要求を受信するまで待機する（ステップＳ７３１：Ｎｏ）。ステップＳ７３１においては、決済装置１４０において、来店会員が購入する商品ＩＤの入力を受け付け、当該商品ＩＤに基づく決済の実行を指示する操作がおこなわれることによって、当該決済装置１４０から送信される決済要求を受信するまで待機する。
【０１１９】
ステップＳ７３１において、決済装置１４０から送信される決済要求を受信した場合（ステップＳ７３１：Ｙｅｓ）、受信された決済要求に基づいて決済処理をおこなう（ステップＳ７３２）。ステップＳ７３２においては、来店会員の会員ＩＤができる状態であれば、カード決済であってもよく、現金決済であってもよい。
【０１２０】
つぎに、ステップＳ７３２においておこなった決済処理をおこなった来店会員の会員ＩＤを取得する（ステップＳ７３３）。ステップＳ７３３においては、来店会員の会員ＩＤは、たとえば、カード決済をおこなった場合には、当該カード決済にかかるクレジットカード番号に基づいて取得することができる。また、ステップＳ７３３においては、カード決済をおこなっていない場合は、つぎの決済をおこなうまでの間に所定のカードの読み取りをおこなうことによって来店会員の会員ＩＤを取得することができる。
【０１２１】
つぎに、ステップＳ７３３において取得した会員ＩＤに基づいて、該当する商品購入要求情報（依頼情報）があるか否かを判断する（ステップＳ７３４）。ステップＳ７３４においては、インターフォン装置１３０から送信された商品購入要求情報（依頼情報）のうち、ステップＳ７３３において取得した会員ＩＤにかかる商品購入要求情報（依頼情報）があるか否かを判断する。ステップＳ７３４において、該当する商品購入要求情報（依頼情報）がない場合（ステップＳ７３４：Ｎｏ）、一連の処理を終了する。
【０１２２】
一方、ステップＳ７３４において、該当する商品購入要求情報（依頼情報）がある場合（ステップＳ７３４：Ｙｅｓ）、当該商品購入要求情報（依頼情報）に基づいてお持ち帰りリスト情報を生成する（ステップＳ７３５）。ステップＳ７３５においては、ご用聞き情報を送信した登録会員と、登録会員が来店会員に依頼する商品の数量と、登録会員による決済の状況と、に基づいて、表示画面５２０をお持ち帰りリスト情報を生成する。
【０１２３】
つぎに、ステップＳ７３３において取得した会員ＩＤに基づいて、カード売上データベース３２０を参照して、決済をおこなった来店会員に対する特典があるか否かを判断する（ステップＳ７３６）。ステップＳ７３６において、該当する特典がある場合（ステップＳ７３６：Ｙｅｓ）、ステップＳ７３２においておこなわれた決済結果、ステップＳ７３５において生成されたお持ち帰りリスト情報、および、該当する特典に関する特典情報を出力して（ステップＳ７３７）、一連の処理を終了する。
【０１２４】
一方、ステップＳ７３６において、該当する特典がない場合（ステップＳ７３６：Ｎｏ）、ステップＳ７３２においておこなわれた決済結果、および、ステップＳ７３５において生成されたお持ち帰りリスト情報を出力して（ステップＳ７３８）、一連の処理を終了する。
【０１２５】
上述した実施の形態においては、インターフォン装置１３０は、商品購入支援装置１１０との間でデータ通信のみをおこなうようにしたが、これに限るものではない。インターフォン装置１３０は、通信機能により、データ通信および音声通信をおこなうことができるものであってもよい。この場合、インターフォン装置１３０は、データ通信をおこなっている間は音声通信を停止し、音声通信をおこなっている間はデータ通信をおこなうものであってもよく、データ通信および音声通信を同時におこなうものであってもよい。
【０１２６】
データ通信および音声通信を同時におこなうためには、１台のインターフォン装置１３０にＰＨＳ基板などの通信基板を複数設ける。インターフォン装置１３０と商品購入支援装置１１０との間における音声通信は、たとえば、インターフォン装置１３０に通話にかかる電話番号が割り当てられたＰＨＳ基板などを設けることによって実現することができる。
【０１２７】
なお、商品購入支援システム１００において、キオスク端末装置１２０とインターフォン装置１３０との間での音声による通信（通話）は、キオスク端末装置１２０とインターフォン装置１３０との間で直接おこなってもよく、商品購入支援装置１１０を介しておこなってもよい。キオスク端末装置１２０とインターフォン装置１３０との間で直接通話をおこなう場合、キオスク端末装置１２０やインターフォン装置１３０に、それぞれ、データ通信用の通信Ｉ／Ｆと通話用の通信Ｉ／Ｆとの複数の通信Ｉ／Ｆを設けてもよい。
【０１２８】
また、上述した実施の形態においては、キオスク端末装置１２０を介して商品情報を取得するようにしたが、これに限るものではない。たとえば、キオスク端末装置１２０に代えて、電子棚札を、商品ごとに設けられたセンサーとして利用して実現されるものであってもよい。この場合、各電子棚札に、来店会員が所持するカードとの間で通信をおこなう通信機能（通信Ｉ／Ｆ）を設ける。また、この場合、電子棚札は、当該通信機能を用いて商品購入支援装置１１０との間で通信をおこなう。
【０１２９】
電子棚札は、キオスク端末装置１２０との間で通信をおこなうインターフェイスと、店舗内の売り場に設置された商品棚に設けられる液晶ディスプレイとを備えており、当該インターフェイスを介してキオスク端末装置１２０から送信される表示データを受信し、受信した表示データに基づく商品の価格を液晶ディスプレイに表示させる。
【０１３０】
電子棚札を利用する場合、上記の図７ＡのステップＳ７１２においては、店舗の売り場においてカードから会員ＩＤを読み取った電子棚札から送信される当該電子棚札にかかる商品ＩＤを受信するまで待機する。この場合、あらかじめ、電子棚札と当該電子棚札が価格を表示する商品ＩＤとを関連付けてメモリ２１２などに記憶しておくことにより、カードから読み取った会員ＩＤの送信元となる電子棚札にかかる商品ＩＤを特定することができる。
【０１３１】
以上説明したように、この発明にかかる実施の形態の商品購入支援装置１１０は、店舗に来店した来店会員の会員情報の入力を受け付け、店舗において販売している商品に関する商品情報の入力を受け付け、入力された来店会員の会員情報にあらかじめ関連付けして登録されている登録会員に関する会員情報を抽出する。そして、抽出された登録会員の会員情報に基づいて、入力された商品情報を、当該登録会員の住居に設置されたインターフォン装置１３０へ送信するようにしたことを特徴としている。
【０１３２】
この発明にかかる実施の形態の商品購入支援装置１１０によれば、住居４０２にいる登録会員に対して、当該登録会員自身を店舗に来店させることなく、店舗４０１で買い物をする来店会員を介して、当該店舗４０１が取り扱う商品をリアルタイムで伝えることができる。これにより、登録会員に対して、タイムセールなどのイベントを突発的におこなう場合にも、チラシなどの事前広告に載っていない商品を伝えることができ、商品の販売促進を図ることができる。
【０１３３】
登録会員は、チラシなどの事前広告に載っていないタイムセール商品などをリアルタイムで知ることができ、購入機会を逸することなくお得な商品を購入する機会を得ることができる。また、あらかじめ登録した自身の知人から紹介を受けた商品であるため、登録会員は、紹介された商品について、自身が確認していなくても、安心して購入するかどうかを検討することができる。
【０１３４】
また、住居に設置されたインターフォン装置１３０を利用しているため、必ず在宅時に、商品の紹介を受けることができる。これにより、登録会員は、たとえば、商品の紹介を受けた時点で直ちに在庫を確認することができ、購入する必要がある商品であるかどうかの妥当な判断をおこなうことができる。
【０１３５】
このように、この発明にかかる実施の形態の商品購入支援装置１１０によれば、購入するかどうかの判断に即時性が要求される商品の購入を希望する登録会員が、当該商品の販売現場にいなくても当該商品を購入することができる。これにより、商品の購入を希望する希望者の利便性の向上を図ることができる。
【０１３６】
また、この発明にかかる実施の形態の商品購入支援装置１１０は、インターフォン装置１３０からの商品購入要求情報を受信し、受信した商品購入要求情報に基づいて、登録会員によるカード決済を実行し、カード決済が実行された商品に関する情報を決済装置１４０などの店舗の装置へ出力するようにしたことを特徴としている。
【０１３７】
この発明にかかる実施の形態の商品購入支援装置１１０によれば、登録会員は、住居にいながらにして紹介された商品を購入することができる。上記のように、商品購入支援サービスの運用において、来店会員が紹介した商品を登録会員が購入した場合は当該来店会員が当該商品を登録会員に届けるという運用形態とすることにより、登録会員は、住居にいながらにして紹介された商品を入手することができる。
【０１３８】
また、この発明にかかる実施の形態の商品購入支援装置１１０は、カード決済が実行された商品に関する情報に基づいて、前記来店会員への特典を決定し、決定された特典に関する情報を出力することを特徴としている。
【０１３９】
この発明にかかる実施の形態の商品購入支援装置１１０によれば、来店会員が紹介した商品を登録会員が購入した場合は当該来店会員に特典を付与することができる。これにより、来店会員が紹介した商品を登録会員が購入した場合は当該来店会員が当該商品を登録会員に届けるという運用形態においても、来店会員に躊躇させることなく商品を紹介させることができる。
【０１４０】
また、来店会員が紹介した商品を登録会員が購入した場合は当該来店会員に特典を付与することにより、来店会員に商品を積極的に紹介させることができる。これにより、タイムセールなどのイベントを突発的におこなう場合にも、来店していない登録会員に対してタイムセール商品などを知らせることができ、店舗の商品の販売促進を図ることができる。
【０１４１】
また、この発明にかかる実施の形態の商品購入支援装置１１０は、来店会員が所持するカードまたは携帯端末装置を、店舗に設置されたキオスク端末装置１２０に読み取らせることにより、当該来店会員の会員情報の入力を受け付けるようにしたことを特徴としている。
【０１４２】
この発明にかかる実施の形態の商品購入支援装置１１０によれば、会員情報の入力にかかる来店会員の負担軽減を図り、商品購入支援サービスの利用促進を図ることができる。そして、これにより、店舗の商品の販売促進を図ることができる。
【０１４３】
上述した実施の形態においては、来店会員が入力した商品情報に基づいて、登録会員に対する商品の紹介をおこなうようにしたが、商品の紹介は来店会員がおこなうものに限らない。たとえば、上述した商品購入支援サービスにおける来店会員の代わりに、店員が商品情報の入力をおこない、当該商品情報を、来店頻度や利用頻度が高い登録会員（得意先）に対して通知するような運用形態としてもよい。
【０１４４】
すなわち、商品を会員に紹介する店員の店員情報と商品に関する商品情報との入力を受け付け、店員情報にあらかじめ関連付けして登録されている登録会員に関する会員情報を抽出し、抽出された登録会員の会員情報に基づいて、店員によって入力された商品情報を、当該登録会員の住居に設置されたインターフォン装置へ送信する商品購入支援装置を構成してもよい。
【０１４５】
この場合、具体的には、たとえば、店員が定期的（あらかじめ）あるいは任意のタイミングで商品情報の入力をおこない、当該商品情報を、来店会員が入力した商品情報を送信する際に、当該来店会員が入力した商品情報に加えて送信する。
【０１４６】
このような運用形態とすることにより、店舗側が登録会員の要望を確認する、いわゆるご用聞きに行くことなく、店舗が販売したい商品をリアルタイムで宣伝することができる。来店会員からの提案に基づいて登録会員から商品購入依頼があったときはその登録会員は在宅しているので、来店会員からの提案に続いて店員から提案をすることにより、商品の販売促進を図ることができる。
【０１４７】
なお、商品購入システム１００においては、来店会員が店舗での買い物（決済装置１４０での決済）を終了した際に、当該来店会員からの紹介によって商品を購入した登録会員のインターフォン装置１３０において、「○○（来店会員の名字など）さんが××店舗で買い物を終了しました。」などのメッセージを受信するようにしてもよい。インターフォン装置１３０は、受信したメッセージを、ディスプレイ１３１に表示することによって出力してもよく、スピーカー１３４から音声によって出力してもよい。
【０１４８】
このように、来店会員が買い物を終了したことを報知する上記のメッセージを、在宅中の登録会員が受信できるようにすることにより、当該登録会員は、来店会員が登録会員の住居４０２に到着するまでの時間、すなわち、登録会員が商品を受け取ることができるまでの待ち時間あるいは商品が届く時刻を予測し、商品の受け取りを予定することができる。これによって、登録会員は、購入した商品が届くまでの待ち時間あるいは当該商品が届く時刻に応じた行動をとることができるので、商品の購入を希望する登録会員の利便性の向上を図ることができる。
【０１４９】
なお、この実施の形態で説明した商品購入支援方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１５０】
以上のように、この発明にかかる商品購入支援装置、商品購入支援方法および商品購入支援プログラムは、買い物を支援する商品購入支援装置、商品購入支援方法および商品購入支援プログラムに有用であり、特に、高齢者やハンディキャップパーソンなどのように買い物への支援を必要とする住民がいる地域の交流促進を支援する商品購入支援装置、商品購入支援方法および商品購入支援プログラムに適している。
【符号の説明】
【０１５１】
１００  商品購入支援システム
１１０  商品購入支援装置
１２０  キオスク端末装置
１３０  インターフォン装置
１４０  決済装置
６０１  記憶部
６０２  会員情報入力部
６０３  商品情報入力部
６０４  抽出部
６０５  送信部
６０６  受信部
６０７  決済部
６０８  決定部
６０９  出力部
【図１】
2018041227.tif 000003
【図２Ａ】
2018041227.tif 000004
【図２Ｂ】
2018041227.tif 000005
【図２Ｃ】
2018041227.tif 000006
【図２Ｄ】
2018041227.tif 000007
【図３Ａ】
2018041227.tif 000008
【図３Ｂ】
2018041227.tif 000009
【図３Ｃ】
2018041227.tif 000010
【図４】
2018041227.tif 000011
【図５Ａ】
2018041227.tif 000012
【図５Ｂ】
2018041227.tif 000013
【図６】
2018041227.tif 000014
【図７Ａ】
2018041227.tif 000015
【図７Ｂ】
2018041227.tif 000016
【図７Ｃ】
2018041227.tif 000017